(57)【特許請求の範囲】
【請求項１】
ラジオ放送再生装置およびラジオ放送以外のメディアの再生装置を含むマルチメディア再生システムにおけるメディア選択装置であって、
ユーザが希望するラジオ放送内容を入力する入力手段、
現在選局されているチャンネルで放送されている内容が、入力手段によって入力された放送内容と一致しているか否かを、受信しているラジオ放送音声信号に基づいて判定する判定手段、
現在選局されているチャンネルで放送されている内容が入力手段によって入力された放送内容と一致しているときには、現在選局されているチャンネルで放送されているラジオ放送を出力させる手段、および
現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、ラジオ放送再生装置において現在選局されているラジオ放送の出力を中断させ、ラジオ放送以外のメディアの再生装置の再生内容を出力する手段、
を備えているマルチメディア再生システムにおけるメディア選択装置。
【請求項２】
ラジオ放送以外のメディアの再生装置が、記録媒体に記録された音響・音声信号を再生する装置である請求項１に記載のマルチメディア再生システムにおけるメディア選択装置。
【請求項３】
ラジオ放送受信機の制御装置であって、
ユーザが希望する放送内容を入力する入力手段、
現在選局されているチャンネルで放送されている内容が、入力手段によって入力された放送内容と一致しているか否かを、受信しているラジオ放送音声信号に基づいて判定する判定手段、
現在選局されているチャンネルで放送されている内容が入力手段によって入力された放送内容と一致しているときには、現在選局されているチャンネルで放送されているラジオ放送を出力させる手段、および
現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、現在選局されているチャンネルで放送されているラジオ放送の出力を中断させる手段、
を備えているラジオ放送受信機の制御装置。
【請求項４】
ラジオ放送受信機の制御装置であって、
ユーザが希望する放送内容を入力する入力手段、
現在選局されているチャンネルで放送されている内容が、入力手段によって入力された放送内容と一致しているか否かを、受信しているラジオ放送音声信号に基づいて判定する判定手段、
現在選局されているチャンネルで放送されている内容が入力手段によって入力された放送内容と一致しているときには、現在選局されているチャンネルで放送されているラジオ放送を出力させる手段、および
現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、現在選局されているチャンネルで放送されているラジオ放送を音量を下げて出力させる手段、
を備えているラジオ放送受信機の制御装置。
【請求項５】
ラジオ放送受信機の制御装置であって、
ユーザが希望する放送内容を入力する入力手段、
現在選局されているチャンネルで放送されている内容が、入力手段によって入力された放送内容と一致しているか否かを、受信しているラジオ放送音声信号に基づいて判定する判定手段、
現在選局されているチャンネルで放送されている内容が入力手段によって入力された放送内容と一致しているときには、現在選局されているチャンネルで放送されているラジオ放送を出力させる手段、および
現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、選局チャンネルを自動的に変更する選局チャンネル変更手段、および
変更後の選局チャンネルで放送されているラジオ放送に対して、上記判定手段と同様な処理を行い、判定結果に応じて上記出力手段または上記選局チャンネル変更手段と同様な処理を行う手段、
を備えているラジオ放送受信機の制御装置。
【発明の詳細な説明】
【０００１】
【発明の属する技術分野】
この発明は、マルチメディア再生システムにおけるメディア選択装置およびラジオ放送受信機の制御装置に関する。
【０００２】
【従来の技術】
自動車には、一般に、ラジオ放送受信機と、ＣＤ、ＭＤ等のディスク、カセットテープなどの記憶媒体に記録された音響・音声信号を再生する再生装置とが搭載されている。
【０００３】
ユーザは、音楽を聞きたい場合には、たとえば音楽ＣＤをＣＤ再生装置によって再生させて聞く。しかしながら、同じ音楽ＣＤを何度も聞いていると飽きてしまうことがある。
【０００４】
そこで、ラジオ放送によって音楽を聞くということも多々ある。しかしながら、ラジオ放送受信機によってたとえ音楽番組を選局しても、途中で、天気予報、交通情報、ニュース、コマーシャル等といった音楽以外の内容も放送される。
【０００５】
そこで、ラジオ放送を聞いている場合において、音楽以外の内容が放送されている間だけ、音楽ＣＤによる音楽を聞くことができれば便利である。
【０００６】
【発明が解決しようとする課題】
この発明は、ラジオ放送を聞いている場合において、ユーザが希望する放送内容以外の内容が放送されているときには、他のメディアの再生装置によって再生された音響・音声信号を自動的に出力させることができるマルチメディア再生システムにおけるメディア選択装置を提供することを目的とする。
【０００７】
この発明の他の目的は、ラジオ放送を聞いている場合において、ユーザが希望する放送内容以外の内容が放送されているときには、その出力音量を自動的に下げるまたはその出力を自動的に中断させることができるラジオ放送受信機の制御装置を提供することを目的とする。
【０００８】
この発明のさらに他の目的は、ラジオ放送を聞いている場合において、ユーザが希望する放送内容以外の内容が放送されているときには、自動的に選局チャンネルを変更させることができるラジオ放送受信機の制御装置を提供することを目的とする。
【０００９】
【課題を解決するための手段】
この発明によるマルチメディア再生システムにおけるメディア選択装置は、ラジオ放送再生装置およびラジオ放送以外のメディアの再生装置を含むマルチメディア再生システムにおけるメディア選択装置であって、ユーザが希望するラジオ放送内容を入力する入力手段、現在選局されているチャンネルで放送されている内容が、入力手段によって入力された放送内容と一致しているか否かを、受信しているラジオ放送音声信号に基づいて判定する判定手段、現在選局されているチャンネルで放送されている内容が入力手段によって入力された放送内容と一致しているときには、現在選局されているチャンネルで放送されているラジオ放送を出力させる手段、および現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、ラジオ放送再生装置において現在選局されているラジオ放送の出力を中断させ、ラジオ放送以外のメディアの再生装置の再生内容を出力する手段を備えていることを特徴とする。
【００１０】
ラジオ放送以外のメディアの再生装置としては、たとえば、記録媒体に記録された音響・音声信号を再生する装置が用いられる。
【００１１】
この発明による第１のラジオ放送受信機の制御装置は、ラジオ放送受信機の制御装置であって、ユーザが希望する放送内容を入力する入力手段、現在選局されているチャンネルで放送されている内容が、入力手段によって入力された放送内容と一致しているか否かを、受信しているラジオ放送音声信号に基づいて判定する判定手段、現在選局されているチャンネルで放送されている内容が入力手段によって入力された放送内容と一致しているときには、現在選局されているチャンネルで放送されているラジオ放送を出力させる手段、および現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、現在選局されているチャンネルで放送されているラジオ放送の出力を中断させる手段を備えていることを特徴とする。
【００１２】
この発明による第２のラジオ放送受信機の制御装置は、ラジオ放送受信機の制御装置であって、ユーザが希望する放送内容を入力する入力手段、現在選局されているチャンネルで放送されている内容が、入力手段によって入力された放送内容と一致しているか否かを、受信しているラジオ放送音声信号に基づいて判定する判定手段、現在選局されているチャンネルで放送されている内容が入力手段によって入力された放送内容と一致しているときには、現在選局されているチャンネルで放送されているラジオ放送を出力させる手段、および現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、現在選局されているチャンネルで放送されているラジオ放送を音量を下げて出力させる手段を備えていることを特徴とする。
【００１３】
この発明による第３のラジオ放送受信機の制御装置は、ラジオ放送受信機の制御装置であって、ユーザが希望する放送内容を入力する入力手段、現在選局されているチャンネルで放送されている内容が、入力手段によって入力された放送内容と一致しているか否かを、受信しているラジオ放送音声信号に基づいて判定する判定手段、現在選局されているチャンネルで放送されている内容が入力手段によって入力された放送内容と一致しているときには、現在選局されているチャンネルで放送されているラジオ放送を出力させる手段、および現在選局されているチャンネルで放送されている内容が入力手段によって入力された放送内容と一致していないときには、判定手段によって現在選局されているチャンネルで放送されている内容が入力手段によって入力された放送内容と一致すると判定されるまで、選局チャンネルを自動的に変更する選局チャンネル変更手段、および変更後の選局チャンネルで放送されているラジオ放送に対して、上記判定手段と同様な処理を行い、判定結果に応じて上記出力手段または上記選局チャンネル変更手段と同様な処理を行う手段を備えていることを特徴とする。
【００１４】
【発明の実施の形態】
以下、図面を参照して、この発明の実施の形態について説明する。
【００１５】
〔１〕第１の実施の形態の説明
【００１６】
図１は、マルチメディア再生システムにおけるメディア選択装置の構成を示している。
【００１７】
この例では、再生装置として、ラジオ放送受信機１、ＭＤ再生装置２およびＣＤ再生装置３が設けられている。これらの出力は、切替えスイッチ４を介して、スピーカ（図示略）に送られる。ラジオ放送受信機１の電源はオンとなっており、ラジオ放送受信機１の出力端子５１からは再生信号が出力されているものとする。
【００１８】
切替えスイッチ４は、４つの切替端子４１、４２、４３、４４を有している。第１切替端子４１には、ラジオ放送受信機１の出力端子５１が記憶手段５を介して接続されている。第２切替え端子４２には、ＭＤ再生装置２の出力端子５２が接続されている。第３切替え端子４３には、ＣＤ再生装置３の出力端子５３が接続されている。第４切替端子４４は、ＯＦＦ端子となっており、電気的に浮いた状態となっている。
【００１９】
制御手段６は、ＭＤ再生装置２およびＣＤ再生装置３の電源のオンオフを制御する。入力手段９には、ユーザが希望するラジオ放送内容と、ラジオ放送受信機１で選局されているチャンネルで放送されている内容がユーザが希望するラジオ放送内容と一致しない場合に選択されるメディア（ＭＤ再生装置２またはＣＤ再生装置３）とが入力される。
【００２０】
ユーザが希望するラジオ放送内容の選択枝としては、この例では、図２に示すように、”音楽”、”交通情報”および”コマーシャル削除”の３タイプが用意されている。また、”音楽”を選択した場合には、さらに、”クラッシック調”、”ロック調”、”明るい”および”静かな”の４つのサブ選択枝から希望のものを選択できるようになっている。なお、１つの選択枝のみを選択してもよいし、複数の選択枝を選択してもよい。
【００２１】
ラジオ放送受信機１の出力信号は、記憶手段５に一時的に蓄積された後、順次切替えスイッチ４の第１切替端子４１に送られる。放送内容識別手段７は、記憶手段５に一時記憶された信号に基づいて、放送内容を識別する。
【００２２】
ラジオ放送信号から音楽、会話、コマーシャル等の判別は、周波数帯域、信号タイプ（ステレオ／モノラル）、声紋、音量等の情報に基づいて行われる。一般的に、放送内容が音楽である場合には、信号タイプがステレオ放送であり、高周波帯域の信号成分が多く含まれている。また、放送内容が会話である場合には、低周波帯域の信号成分が多く含まれており、高周波帯域の信号成分は少ない。また、コマーシャルの場合には、信号タイプがモノラルである場合が多い。このような特徴等に基づいて、放送内容が音楽であるか、交通情報であるかまたはコマーシャルであるかが判定される。
【００２３】
また、放送内容が音楽である場合には、音色、リズム、テンポ、音程等に基づいて、音楽のジャンル（クラッシック調、ロック調）や、タイプ（明るい、静かな）が判別される。なお、将来的にラジオ放送がディジタル化した場合には、放送内容を示す識別情報を付加情報として送出することも可能であるので、そのような場合には、付加情報に基づいて放送内容が判別される。
【００２４】
比較手段８は、放送内容識別手段７によって識別された放送内容と、入力手段９によって入力されたユーザが希望する放送内容とが一致しているか否かを判定し、判定結果に応じて、切替スイッチ４および制御手段６を制御する。
【００２５】
放送内容識別手段７によって識別された放送内容と、ユーザが希望する放送内容と両者が一致しているときには、切替スイッチ４が第１切替端子４１を選択し、制御手段６がＭＤ再生装置２およびＣＤ再生装置３の電源をオフにさせるように、比較手段８は切替スイッチ４および制御手段６を制御する。
【００２６】
放送内容識別手段７によって識別された放送内容と、ユーザが希望する放送内容と両者が一致していないときには、ユーザによって選択したメディアに対応する切替端子（第２切替端子４２または第３切替端子４３）を切替スイッチ４が選択し、制御手段６がユーザによって選択したメディアに対応する再生装置（ＭＤ再生装置２またはＣＤ再生装置３）の電源をオンにして再生動作を開始するように、比較手段８は切替スイッチ４および制御手段６を制御する。
【００２７】
たとえば、入力手段９によって入力されたユーザが希望するラジオ放送内容が音楽であり、入力手段９によって入力されたメディアがＣＤ再生装置３である場合の動作について説明する。
【００２８】
この場合には、比較手段８は、放送内容識別手段７によって識別された放送内容が音楽か否かが判別される。放送内容識別手段７によって識別された放送内容が音楽であるときには、切替スイッチ４が第１切替端子４１を選択した状態となり、記憶手段５に一時記憶された放送信号が切替スイッチ４を介してスピーカに送られて、出力される。
【００２９】
放送内容識別手段７によって識別された放送内容が音楽でないときには、切替スイッチ４が第３切替端子４３に切替えられるとともにＣＤ再生装置３の電源がオンにされ再生動作を開始する。したがって、ＣＤ再生装置３の出力信号が切替スイッチ４を介してスピーカに送られて、出力される。
【００３０】
なお、スイッチ４が第３切替端子４３に切替られている状態において、放送内容識別手段７によって識別された放送内容が音楽であると判定されたときには、切替スイッチ４が第１切替端子４１に切替られるとともに、ＣＤ再生装置３の電源がオフにされる。したがって、記憶手段５に一時記憶された放送信号が切替スイッチ４を介してスピーカに送られて、出力される。
【００３１】
上記第１の実施の形態によれば、ラジオ放送を聞いている場合において、ユーザが希望する放送内容以外の内容が放送されているときには、他のメディアの再生装置によって再生された音響・音声信号を自動的に出力させることができるようになる。
【００３２】
〔２〕第２の実施の形態の説明
【００３３】
図３は、ラジオ放送受信機の制御装置の構成を示している。
【００３４】
切替えスイッチ１１は、２つの切替端子６１、６２を有している。第１切替端子６１には、ラジオ放送受信機１の出力端子５１が記憶手段１２を介して接続されている。第２切替え端子６２は、ＯＦＦ端子となっており、電気的に浮いた状態となっている。切替スイッチ１１の出力端子は、スピーカ（図示略）に接続されている。
【００３５】
入力手段１５には、ユーザが希望するラジオ放送内容が入力される。ラジオ放送受信機１の出力信号は、記憶手段１２に一時的に蓄積された後、順次切替えスイッチ１１の第１切替端子６１に送られる。放送内容識別手段１３は、記憶手段１２に一時記憶された信号に基づいて、放送内容を識別する。
【００３６】
比較手段１４は、放送内容識別手段１３によって識別された放送内容と、入力手段１５によって入力されたユーザが希望する放送内容とが一致しているか否かを判定し、判定結果に応じて、切替スイッチ１１を制御する。
【００３７】
放送内容識別手段１３によって識別された放送内容と、ユーザが希望する放送内容と両者が一致しているときには、切替スイッチ１１が第１切替端子６１を選択するように、比較手段１４は切替スイッチ１１を制御する。したがって、この場合には、記憶手段１２に一時記憶された放送信号が切替スイッチ１１を介してスピーカに送られて、出力される。
【００３８】
放送内容識別手段１３によって識別された放送内容と、ユーザが希望する放送内容と両者が一致していないときには、切替スイッチ１１が第２切替端子６２を選択するように、比較手段１４は切替スイッチ１１を制御する。したがって、この場合には、スピーカには信号が出力されない。つまり、この場合には、ラジオ放送の出力が中断せしめられる。
【００３９】
なお、ラジオ放送の出力が中断せしめられている状態において、放送内容識別手段１３によって識別された放送内容とユーザが希望する放送内容と両者が一致していると判定されたときには、切替スイッチ１１が第１切替端子６１に切り替えられるので、ラジオ放送がスピーカから出力されるようになる。
【００４０】
上記第２の実施の形態によれば、ラジオ放送を聞いている場合において、ユーザが希望する放送内容以外の内容が放送されているときには、その出力を自動的に中断させることができるようになる。
【００４１】
〔３〕第３の実施の形態の説明
【００４２】
図４は、ラジオ放送受信機の制御装置の構成を示している。
【００４３】
入力手段１５には、ユーザが希望するラジオ放送内容が入力される。ラジオ放送受信機１の出力端子５１は、記憶手段１２および音量調整手段２１を介してスピーカ（図示略）に接続されている。
【００４４】
放送内容識別手段１３は、記憶手段１２に一時記憶された信号に基づいて、放送内容を識別する。比較手段２４は、放送内容識別手段１３によって識別された放送内容と、入力手段１５によって入力されたユーザが希望する放送内容とが一致しているか否かを判定し、判定結果に応じて、音量調整手段２１を制御する。
【００４５】
放送内容識別手段１３によって識別された放送内容と、ユーザが希望する放送内容と両者が一致しているときには、音量調整手段２１が音量調整を行なわないように、比較手段２４は音量調整手段２１を制御する。したがって、この場合には、ユーザによって設定された音量で、記憶手段１２に一時記憶された放送信号がスピーカを介して出力される。
【００４６】
放送内容識別手段１３によって識別された放送内容と、ユーザが希望する放送内容と両者が一致していないときには、音量が低下するように、比較手段２４は音量調整手段２１を制御する。したがって、この場合には、ユーザによって設定された音量より小さい音量で、記憶手段１２に一時記憶された放送信号がスピーカを介して出力される。
【００４７】
なお、ユーザによって設定された音量より小さい音量でラジオ放送がスピーカから出力されている状態において、放送内容識別手段１３によって識別された放送内容とユーザが希望する放送内容と両者が一致していると判定されたときには、音量調整手段２１が音量調整を行なわないように、比較手段２４が音量調整手段２１を制御するので、音量がユーザによって設定された音量に戻される。
【００４８】
上記第３の実施の形態によれば、ラジオ放送を聞いている場合において、ユーザが希望する放送内容以外の内容が放送されているときには、その出力音量を自動的に下げることができる。
【００４９】
〔４〕第４の実施の形態の説明
【００５０】
図５は、ラジオ放送受信機の制御装置の構成を示している。
【００５１】
切替えスイッチ１１は、２つの切替端子６１、６２を有している。第１切替端子６１には、ラジオ放送受信機１の出力端子５１が記憶手段１２を介して接続されている。第２切替え端子６２は、ＯＦＦ端子となっており、電気的に浮いた状態となっている。切替スイッチ１１の出力端子は、スピーカ（図示略）に接続されている。
【００５２】
選局変更手段３１は、選局チャンネルを自動的に変更させるためのものである。入力手段１５には、ユーザが希望するラジオ放送内容が入力される。ラジオ放送受信機１の出力信号は、記憶手段１２に一時的に蓄積された後、順次切替えスイッチ１１の第１切替端子６１に送られる。放送内容識別手段１３は、記憶手段１２に一時記憶された信号に基づいて、放送内容を識別する。
【００５３】
比較手段３４は、放送内容識別手段１３によって識別された放送内容と、入力手段１５によって入力されたユーザが希望する放送内容とが一致しているか否かを判定し、判定結果に応じて、切替スイッチ１１および選局変更手段３１を制御する。
【００５４】
放送内容識別手段１３によって識別された放送内容と、ユーザが希望する放送内容と両者が一致しているときには、切替スイッチ１１が第１切替端子６１を選択するように、比較手段３４は切替スイッチ１１を制御する。したがって、この場合には、記憶手段１２に一時記憶された放送信号が切替スイッチ１１を介してスピーカに送られて、出力される。
【００５５】
放送内容識別手段１３によって識別された放送内容と、ユーザが希望する放送内容と両者が一致していないときには、切替スイッチ１１が第２切替端子６２を選択するとともに選局変更手段３１によって選局チャンネルが変更せしめられるように、比較手段３４は切替スイッチ１１および選局変更手段３１を制御する。したがって、この場合には、選局チャンネルが変更せしめられるとともにスピーカには信号が出力されなくなる。
【００５６】
なお、選局チャンネルが変更せしめられた結果、放送内容識別手段１３によって識別された放送内容とユーザが希望する放送内容と両者が一致していると判定されたときには、切替スイッチ１１が第１切替端子６１に切り替えられるので、現在選局されているチャンネルで放送されているラジオ放送がスピーカから出力されるようになる。
【００５７】
上記第４の実施の形態によれば、ラジオ放送を聞いている場合において、ユーザが希望する放送内容以外の内容が放送されているときには、自動的に選局チャンネルが変更せしめられるようになる。
【００５８】
【発明の効果】
この発明によれば、ラジオ放送を聞いている場合において、ユーザが希望する放送内容以外の内容が放送されているときには、他のメディアの再生装置によって再生された音響・音声信号を自動的に出力させることができるマルチメディア再生システムが得られる。
【００５９】
この発明によれば、ラジオ放送を聞いている場合において、ユーザが希望する放送内容以外の内容が放送されているときには、その出力音量を自動的に下げるまたはその出力を自動的に中断させることができるラジオ放送受信機の制御装置が得られる。
【００６０】
この発明によれば、ラジオ放送を聞いている場合において、ユーザが希望する放送内容以外の内容が放送されているときには、自動的に選局チャンネルが変更せしめられるラジオ放送受信機の制御装置が得られる。
【図面の簡単な説明】
【図１】マルチメディア再生システムにおけるメディア選択装置の構成を示すブロック図である。
【図２】入力手段によって入力されるラジオ放送内容の選択枝を示す図である。
【図３】ラジオ放送受信機の制御装置の構成を示すブロック図である。
【図４】他のラジオ放送受信機の制御装置の構成を示すブロック図である。
【図５】さらに他のラジオ放送受信機の制御装置の構成を示すブロック図である。
【符号の説明】
１  ラジオ放送受信機
２  ＭＤ再生装置
３  ＣＤ再生装置
４、１１  切替スイッチ
５、１２  記憶手段
７、１３  放送内容識別手段
８、１４、２４、３４  比較手段
９、１５  入力手段
２１  音量調整手段
３１  選局変更手段
【図１】
0003594427.tif 000002
【図２】
0003594427.tif 000003
【図３】
0003594427.tif 000004
【図４】
0003594427.tif 000005
【図５】
0003594427.tif 000006